(57)【要約】【課題】カードのスムーズな挿入を阻害することなく、カードの飛び出しを確実に防止することができるカード用コネクタを提供すること。【解決手段】コネクタ本体２にカバー３を装着して、カード５１の装着空間を形成するハウジングを形成し、ハウジング内にカード５１と共にハウジング内をスライドするスライド部材２２とスライド部材２２を排出方向に付勢する排出バネ２３を配置し、カバー３に設けられた当接部３６により、装着口４側において、カードの装着空間を装着口４に向かって狭めるようにスライド部材２２を揺動させて、スライド部材２２とコネクタ本体２の側壁部１３との間でカード５１を挟み込む構成にした。【選択図】図３
2011165331.tif 000002
【特許請求の範囲】
【請求項１】
カードの装着空間を形成するハウジングと、
前記カードの挿入方向に、前記カードと共に前記ハウジング内をスライドするスライド部材と、
前記カードの排出方向に、前記スライド部材を付勢する排出バネと、
前記ハウジングの装着口側において、前記カードの装着空間を装着口に向かって狭めるように、前記スライド部材を揺動させる揺動部とを備え、
前記ハウジングの装着口側において、前記揺動部によって揺動された前記スライド部材と、前記装着空間を挟んで前記スライド部材に対向する前記ハウジングの側壁部との間で、前記カードを挟み込むことを特徴とするカード用コネクタ。
【請求項２】
前記揺動部は、前記スライド部材により前記カードが前記側壁部に押し付けられるように前記スライド部材に当接することで、前記スライド部材を揺動させる当接部であることを特徴とする請求項１に記載のカード用コネクタ。
【請求項３】
前記スライド部材の排出方向への移動を規制するストッパを備え、
前記当接部は、前記ストッパの近傍に設けられたことを特徴とする請求項２に記載のカード用コネクタ。
【請求項４】
前記当接部は、ハウジングに形成された片持バネであることを特徴とする請求項２または請求項３に記載のカード用コネクタ。
【請求項５】
前記スライド部材は、前記ハウジングの装着口側において前記カードに形成された凹部を係止する係止バネを設けたことを特徴とする請求項１から請求項４のいずれかに記載のカード用コネクタ。
【発明の詳細な説明】
【技術分野】
【０００１】
本発明は、カード用コネクタに関し、特に、カードの飛び出し防止構造を備えたカード用コネクタに関する。
【背景技術】
【０００２】
従来、カードの飛び出し防止構造を備えたカード用コネクタとして、ハウジングの奥側でカードに対して制動力を付与するものが知られている（例えば、特許文献１参照）。従来のカード用コネクタにおいては、挿入方向及び排出方向にカードと共にスライドするスライド部材に突起部が設けられ、ハウジングにスライド部材の突起部をガイドするガイド溝が設けられている。この突起部及びガイド溝は、スライド部材の排出方向へのスライド時に、ハウジングの奥側（排出方向の後側）に向かってカードの装着空間を狭めるようにスライド部材を揺動させている。
【０００３】
このため、カードの排出時には、スライド部材の排出方向の後側部分によって、カードがスライド部材に対して装着空間を挟んで対向するハウジングの側壁部に押し付けられる。このように、従来のカード用コネクタにおいては、カードの排出時にハウジングの奥側でカードの装着空間が狭められるため、カードとハウジングの側壁部とが摺接され、ハウジングの奥側においてカードに制動力が作用される。
【先行技術文献】
【特許文献】
【０００４】
【特許文献１】特開２００５−８５６８４号公報
【発明の概要】
【発明が解決しようとする課題】
【０００５】
上記したような従来のカード用コネクタにおいては、スライド部材の排出方向へのスライド時に、ハウジングの奥側でカードの装着空間が狭まる一方、ハウジングの装着口側ではカードの装着空間が広がるようにスライド部材が揺動する。このため、ハウジングの装着口側では、スライド部材の排出方向の前側部分がカードから離間されるため、装着口側においてカードに十分な制動力が作用されず、カードの飛び出しを確実に防止できないという問題があった。
【０００６】
また、従来のカード用コネクタにおいては、排出バネによってスライド部材が排出方向に付勢されるが、バネの付勢力の強いハウジングの奥側でカードに制動力が作用されるため、バネの付勢力に抗するようにカードに対して大きな制動力を作用させる必要があった。このため、ハウジングに対するカードの挿入時に、スライド部材に作用する制動力によってカードのスムーズな挿入が阻害されていた。
【０００７】
本発明はこのような実情に鑑みてなされたものであり、カードのスムーズな挿入を阻害することなく、カードの飛び出しを確実に防止することができるカード用コネクタを提供することを目的とする。
【課題を解決するための手段】
【０００８】
本発明のカード用コネクタは、カードの装着空間を形成するハウジングと、前記カードの挿入方向に、前記カードと共に前記ハウジング内をスライドするスライド部材と、前記カードの排出方向に、前記スライド部材を付勢する排出バネと、前記ハウジングの装着口側において、前記カードの装着空間を装着口に向かって狭めるように、前記スライド部材を揺動させる揺動部とを備え、前記ハウジングの装着口側において、前記揺動部によって揺動された前記スライド部材と、前記装着空間を挟んで前記スライド部材に対向する前記ハウジングの側壁部との間で、前記カードを挟み込むことを特徴とする。
【０００９】
この構成によれば、ハウジングの装着口側において、カードの装着空間を装着口に向かって狭めるようにスライド部材が揺動されるため、スライド部材の排出方向の前側部分（挿入方向の後側部分）とハウジングの側壁部とによってカードが挟み込まれる。よって、排出バネの付勢力が弱いハウジングの装着口側でカードに対して制動力が作用されることで、カードの飛び出しを確実に防止することができる。また、排出バネの付勢力が弱いハウジングの装着口側において、カードに制動力が作用されるため、排出バネの付勢力が強いハウジングの奥側でカードに制動力が作用される構成と比較して、小さな制動力でカードの飛び出しを防止することができる。このため、ハウジングに対するカードの挿入時に、カードに作用する制動力によってカードのスムーズな挿入が阻害されることがない。
【００１０】
また本発明は、上記カード用コネクタにおいて、前記揺動部は、前記スライド部材により前記カードが前記側壁部に押し付けられるように前記スライド部材に当接することで、前記スライド部材を揺動させる当接部であることを特徴とする。
【００１１】
この構成によれば、スライド部材を当接部に当接させることで、カードの装着口側においてスライド部材を確実に揺動させることができる。
【００１２】
また本発明は、上記カード用コネクタにおいて、前記スライド部材の排出方向への移動を規制するストッパを備え、前記当接部は、前記ストッパの近傍に設けられたことを特徴とする。
【００１３】
この構成によれば、スライド部材の排出位置を規定するストッパの近傍に当接部が設けられることで、よりハウジングの装着口に近い位置でカードに対して制動力を作用させることができる。
【００１４】
また本発明は、上記カード用コネクタにおいて、前記当接部は、ハウジングに形成された片持バネであることを特徴とする
【００１５】
この構成によれば、ハウジングに対して当接部を容易な加工で形成することができる。
【００１６】
また本発明は、上記カード用コネクタにおいて、前記スライド部材は、前記ハウジングの装着口側において前記カードに形成された凹部を係止する係止バネを設けたことを特徴とする。
【００１７】
この構成によれば、スライド部材の揺動により、係止バネがカードに近付けられるため、係止バネとカードの凹部とを強く係止させて、より確実にカードの飛び出しを防止することができる。
【発明の効果】
【００１８】
本発明によれば、カードのスムーズな挿入を阻害することなく、カードの飛び出しを確実に防止することができる。
【図面の簡単な説明】
【００１９】
【図１】本発明に係るカード用コネクタの実施の形態を示す図であり、カード用コネクタの斜視図である。
【図２】本発明に係るカード用コネクタの実施の形態を示す図であり、カバーを外したカード用コネクタの斜視図である。
【図３】本発明に係るカード用コネクタの実施の形態を示す図であり、スライド部材の揺動構造の説明図である。
【図４】本発明に係るカード用コネクタの実施の形態を示す図であり、カード用コネクタの排出動作の説明図である。
【図５】本発明に係るカード用コネクタの実施の形態を示す図であり、カードの平面図である。
【発明を実施するための形態】
【００２０】
以下、本発明の実施の形態について添付図面を参照して詳細に説明する。なお、以下においては、ＳＤ（Secure  Digital）カードが装着されるカード用コネクタに適用する場合について説明する。しかしながら、本実施の形態に係るカード用コネクタの適用対象については、これに限定されるものではなく適宜変更が可能である。
【００２１】
まず、本実施の形態に係るカード用コネクタについて説明する前に装着対象となるカードについて説明する。図５は、本発明の実施の形態に係るカードの平面図であり、（ａ）が上面図、（ｂ）が背面図をそれぞれ示している。
【００２２】
図５（ａ）、（ｂ）に示すように、カード５１は、いわゆるＳＤカードであり、上面視略矩形状に形成されている。カード５１の一の角部には、切り欠かれて約４５度に傾斜した傾斜面５２が形成されている。傾斜面５２は、カード５１の挿入方向を識別するのに用いられ、この傾斜面５２が形成されている側が挿入方向における前端側とされ、逆側が挿入方向における後端側とされる。
【００２３】
カード５１の前端側の背面には、挿入方向に延在する複数の仕切りによって溝部５３が形成されている。溝部５３には、カード用コネクタ１の複数のコンタクト端子１８に接触する複数のパッド５４が設けられている。カード５１の一の側面には、後述するスライド部材２２の係止バネ２７に係止される凹部５５が形成されている。また、カード５１の他の側面には、カード内のメモリに対する書き込み禁止用の操作部５６が設けられている。
【００２４】
次に、図１および図２を参照して、カード用コネクタの全体構成について説明する。図１は、本発明の実施の形態に係るカード用コネクタの斜視図である。図２は、本発明の実施の形態に係るカバーを外したカード用コネクタの斜視図である。
【００２５】
図１及び図２に示すように、本実施の形態に係るカード用コネクタ１は、上面および前面が開口されたコネクタ本体２と、コネクタ本体２の上面の開口に装着されてカード５１の装着空間を形成するカバー３とを備え、コネクタ本体２及びカバー３が組み合わされて装着口４を有する箱状体をなしている。コネクタ本体２の底壁部１１の中央部分には、複数のコンタクト端子１８が設けられている。底壁部１１に設けられた各コンタクト端子１８は、底壁部１１の中央部分から奥壁部１２側に向かって延在している。
【００２６】
コネクタ本体２の一の側壁部１３には、カード５１の書き込み禁止状態を検出するスイッチ部２１が設けられている。スイッチ部２１は、下方に設けられた図示しない固定接点に離接可能に支持されており、図示しない巻きバネにより固定接点に対して離間方向に付勢されている。スイッチ部２１は、カード５１の操作部５６の設定位置に応じてカード５１に当接される。そして、スイッチ部２１は、巻きバネの付勢力に抗して押し込まれると、固定接点に接触され、カード５１の書き込み禁止状態を検出する。
【００２７】
コネクタ本体２の一の側壁部１３に対向する他の側壁部１４は、前端側のストッパ１６を残して切り欠かれている。コネクタ本体２には、この切欠き部分に沿って挿入方向及び排出方向にスライド可能なスライド部材２２と、スライド部材２２のスライドに伴って伸縮するコイル状の排出バネ２３とが配置されている。排出バネ２３は、一端が奥壁部１２に当接され、他端がスライド部材２２に当接されており、スライド部材２２を排出方向に付勢している。
【００２８】
スライド部材２２は、排出バネ２３に付勢された状態で挿入方向及び排出方向にスライド可能に構成されている。なお、以下、排出方向における前側（挿入方向における後側）をスライド部材２２の前側とし、排出方向における後側（挿入方向における前側）をスライド部材の後側として説明する。スライド部材２２の後側部分には、コネクタ本体２の中央に向かって突出する挿入位置規制部２４が形成されている。挿入位置規制部２４の側面は、スライド部材２２の後端に向かって装着空間の幅方向を狭めるような傾斜面２５であり、カード５１の傾斜面５２に当接可能に約４５度に傾斜している。この構成により、挿入位置規制部２４の傾斜面２５がカード５１の傾斜面５２に当接する正挿入時にのみカード５１が装着位置まで案内されるので、カード５１の誤装着が防止される。
【００２９】
スライド部材２２の上面には図示しないハートカム溝が形成されており、このハートカム溝とストッパ１６に設けられたラッチピン２６によりスライド部材２２の位置が規定される。ラッチピン２６は、スライド部材２２のスライド方向に延在し、両端が底壁部１１に向かって略直角に屈曲している。ラッチピン２６の一端は、ストッパ１６に回動可能に支持され、他端はスライド部材２２のハートカム溝上に摺動される。
【００３０】
ハートカム溝は、複数の段差と傾斜を有して上面視ハート型の環状に形成されており、スライド部材２２のスライドに応じてラッチピン２６の他端を一方向に摺動させる。スライド部材２２が奥壁部１２近傍の装着位置に押し込まれると、ラッチピン２６の他端がハートカム溝の係止部分に係止され、排出バネ２３の付勢によるスライド部材２２の復帰が規制される。この状態からさらにスライド部材２２が押し込まれると、ラッチピン２６とハートカム溝との係止状態が解除されて、排出バネ２３の付勢によりスライド部材２２が復帰される。このように、ラッチピン２６とハートカム溝は、スライド部材２２の装着位置における保持機能を有している。
【００３１】
また、スライド部材２２には、スライド方向に延在する金属性の係止バネ２７が設けられている。係止バネ２７は、板バネであり、スライド部材２２の後側部分に片持ちで保持されている。係止バネ２７の自由端側には、カード５１の凹部５５を係止する係止突起２８が形成されている。この係止突起２８とカード５１の凹部５５との係止により、スライド部材２２とカード５１とが一体に移動される。
【００３２】
カバー３は、金属製の板材を折り曲げて形成されており、上板部３１の一側方にはラッチピン２６を押えるピン押え３２が形成されている。ピン押え３２は、底壁部１１側に切り起こされた片持ちバネであり、ラッチピン２６の中間部分を下方に押圧してラッチピン２６の他端をハートカム溝に押し付けている。ピン押え３２の後方には、スライド部材２２の浮き上がりを押える押え片３３が形成されている。押え片３３は、底壁部１１側に切り起こされた片持ちバネであり、スライド部材２２が装着位置側にスライドされたときに、スライド部材２２の後端側を下方に押圧して、排出バネ２３の反力による浮き上がりを防止している。
【００３３】
上板部３１の装着口４側の略半部には、カード５１の飛び出し防止用の一対の制動片３４が形成されている。一対の制動片３４は、底壁部１１側に僅かに切り起された片持ちバネであり、カード５１の上面に接触して、カード５１の排出時の飛び出しを抑制している。カバー３のスライド部材２２側の側板部３５には、スライド部材２２に側方から当接する当接部３６が形成されている。当接部３６は、装着空間側に切り起こされた片持バネであり、スライド部材２２の排出方向へのスライド時に、スライド部材２２の前側部分に当接してスライド部材２２を揺動させている。このスライド部材２２の揺動により、カード５１の排出時に、側壁部１３とスライド部材２２との間にカード５１を挟み込んでカード５１に対して制動力が作用される。
【００３４】
以下、図３を参照して、スライド部材の揺動構造について説明する。図３は、本実施の形態に係るスライド部材の揺動構造の説明図である。なお、図３は、カード用コネクタの一部を模式図的に示したものであり、（ａ）においてはカード、スライド部材、排出バネを省略し、（ｂ）においては排出バネを省略して記載している。
【００３５】
図３（ａ）に示すように、コネクタ本体２の底壁部１１には、スライド部材２２を挿入方向にガイドする一対のガイド壁部４１、４２が、上面から僅かに突出して形成されている。一対のガイド壁部４１、４２は、コネクタ本体２の奥側における対向間隔Ｌ１よりもコネクタ本体２の前側における対向間隔Ｌ２が広く形成される。この一対のガイド壁部４１、４２の対向間隔の広がりにより、コネクタ本体２の前側にスライド部材２２の揺動スペース４３が形成される。
【００３６】
カバー３の側板部３５には、ストッパ１６の近傍に上記した当接部３６が設けられている。当接部３６は、スライド部材２２の前側部分を揺動スペース４３に押し込むようにコネクタ本体２内に突出している。この場合、当接部３６は、腕を短くすることで剛性が高められ、スライド部材２２を強く押し込めるように形成されている。図３（ｂ）に示すように、カード５１が装着された状態では、スライド部材２２は、コネクタ本体２の奥側において一対のガイド壁部４１、４２により幅方向で位置決めされている。カード５１の排出が開始されると、カード５１と共にスライド部材２２が一対のガイド壁部４１、４２に沿って排出位置に向けてスライドされる。
【００３７】
そして、図３（ｃ）に示すように、スライド部材２２がストッパ１６に規制される排出位置に到達すると、スライド部材２２の前側部分が当接部３６に乗り上がって揺動スペース４３側に押し込まれる。このとき、スライド部材２２は、後側部分の角部２９とガイド壁部４２及び側板部３５との接触部分を支点として、装着口４に向かってカード５１の装着空間を狭めるように揺動される。
【００３８】
このスライド部材２２の揺動により、スライド部材２２の前側部分がカード５１をコネクタ本体２の側壁部１３に押し付けて、カード５１と側壁部１３とを摺接させる。この構成より、カード５１の排出時には、装着口４側においてスライド部材２２と側壁部１３との間にカード５１が挟み込まれ、カード５１に制動力が作用される。また、スライド部材２２の揺動に伴って、スライド部材２２に設けられた係止バネ２７がカード５１側に近付けられる。このため、係止バネ２７の係止突起２８がカード５１の凹部５５に深く係止され、スライド部材２２からのカード５１の抜け外れが抑えられる。
【００３９】
このように、カード５１の排出時に、スライド部材２２が装着口４に向かってカード５１の装着空間を狭めるように揺動されることで、スライド部材２２に制動力が作用されると共に、係止バネ２７の係止量を大きくすることで、カード５１の飛び出しを防止している。また、金属製の当接部３６が、直にカードに接触することがないため、カード５１を傷つけることなく、カード５１に対して制動力を作用させることが可能となる。尚、カード５１を挟み込んで制動力を付与するスライド部材２２とコネクタ本体２は、挿抜を繰り返すことでカード５１に削れが発生することを防止することが可能なように、カード５１との接触部分を例えば合成樹脂で形成することが可能である。
【００４０】
図４を参照して、カード用コネクタの排出動作について説明する。図４は、本発明の実施の形態に係るカード用コネクタの排出動作の説明図であり、（ａ）がカード装着状態、（ｂ）がカード排出状態をそれぞれ示している。なお、図４においては、説明の便宜上、カバーは、側板部のみを示している。
【００４１】
図４（ａ）に示すように、カード５１の装着状態においては、ラッチピン２６の他端がハートカム溝の係止部分に形成され、カード５１がスライド部材２２と共に装着位置に保持される。このとき、スライド部材２２は、一対のガイド壁部４１、４２により幅方向で位置決めされ、揺動が規制されている。したがって、カード５１には、スライド部材２２を介した制動力が作用していない。また、スライド部材２２がコネクタ本体２の奥側まで押し込まれているため、排出バネ２３が収縮され、スライド部材２２に対する付勢力が大きくなっている。
【００４２】
この状態から、さらにカード５１が押し込まれると、ラッチピン２６とハートカム溝との係止状態が解除されて、スライド部材２２が排出バネ２３により排出位置に向けて押し出される。このとき、スライド部材２２は、一対のガイド壁部４１、４２により排出方向にガイドされ、一対のガイド壁部４１、４２の対向間隔が広がり始める位置まで、カード５１側への揺動が規制される。
【００４３】
図４（ｂ）に示すように、カード５１が排出位置まで押し出されると、スライド部材２２の前側部分が側板部３５に設けられた当接部３６に乗り上がってカード５１側に押し込まれる。スライド部材２２は、当接部３６からの押し込みにより、後側部分の角部２９とガイド壁部４２及び側板部３５との接触部分を支点として、装着口４に向かって装着空間を狭めるように揺動される。そして、スライド部材２２の前側部分とコネクタ本体２の側壁部１３との間にカード５１が挟み込まれることで、カード５１に制動力が作用する。
【００４４】
このとき、排出バネ２３は伸びきっており、スライド部材２２に対する付勢力が小さくなる。したがって、付勢力の小さい排出位置において、カード５１に対して制動力を作用させることで、カード５１の飛び出しを効果的に防止している。
【００４５】
また、スライド部材２２の揺動により、係止バネ２７の係止突起２８がカード５１の凹部５５に深く入り込む。これにより、スライド部材２２からのカード５１の抜け外れが抑えられる。このように、排出バネ２３の付勢力が小さな排出位置においてカード５１に制動力が作用されると共に、カード５１に対して係止バネ２７を深く係止させたことで、カード５１の飛び出しを確実に防止することが可能となる。
【００４６】
この場合、排出バネ２３の付勢力が小さな排出位置において、カード５１に対して制動力が作用するため、カード５１の飛び出しを防止するために大きな制動力は不要である。したがって、スライド部材２２の揺動量は、制動力によってカード５１のスムーズな挿入を妨げない程度に調整されている。この構成により、カード５１のスムーズな挿入を阻害することなく、カード５１の飛び出しを確実に防止することが可能となる。
【００４７】
以上のように、本実施の形態に係るカード用コネクタ１によれば、装着口４側において、装着口４に向かって装着空間を狭めるようにスライド部材２２が揺動されるため、スライド部材２２の前側部分とコネクタ本体２の側壁部１３とによってカード５１が挟み込まれる。よって、排出バネ２３の付勢力が弱い装着口４側でカード５１に対して制動力が作用されることで、カード５１の飛び出しを確実に防止することが可能となる。また、排出バネ２３の付勢力が弱い装着口４側において、カード５１に制動力が作用されるため、排出バネ２３の付勢力が強いコネクタ本体２の奥側でカード５１に制動力が作用される構成と比較して、小さな制動力でカード５１の飛び出しを防止することができる。このため、カード用コネクタ１に対するカード５１の挿入時に、カード５１に作用する制動力によってカード５１のスムーズな挿入が阻害されることがない。
【００４８】
なお、上記した実施の形態においては、揺動部が、当接によりスライド部材を揺動させる当接部である構成としたが、この構成に限定されるものではない。揺動部は、カード用コネクタの装着口側において、装着口に向かって装着空間を狭めるようにスライド部材を揺動させる構成であれば、どのような構成であってもよい。例えば、揺動部は、スライド部材とコネクタ本体またはカバーとに設けたカム機構により構成されてもよい。
【００４９】
また、上記した実施の形態においては、本発明をＳＤカードに対応したカード用コネクタに適用する構成としたが、この構成に限定されるものではない。ＳＤカード以外にカードに対応可能なカード用コネクタに適用するようにしてもよい。
【００５０】
また、上記した実施の形態においては、本発明を１種類のカードに対応したカード用コネクタに適用する構成としたが、この構成に限定されるものではない。２種類以上のカードに対応可能なコンバイン型のカード用コネクタや、３種類以上のカードに対応可能なカード用コネクタに適用してもよい。
【００５１】
また、上記した実施の形態においては、当接部がカバーの側板部に設けられる構成としたが、この構成に限定されるものではない。当接部は、カバーの側板部の代わりにコネクタ本体の側壁部に設けられる構成としてもよい。この場合、スライド部材側の側壁部は、当接部の形成箇所を切り欠かないように形成される。
【００５２】
また、上記した実施の形態においては、当接部が片持ちバネで形成される構成としたが、この構成に限定されるものではない。当接部は、スライダ部材に当接して、スライド部材を揺動スペースに押し込み可能な構成であればよく、例えば、両持ちバネで形成して剛性を高めてもよい。
【００５３】
また、上記した実施の形態においては、片持の当接部は、腕部を短くして剛性を高めたが、腕部を長くして弾性をもたせるようにしてもよい。この構成により、腕部が撓むことで、カードの寸法誤差を吸収させることができる。
【００５４】
また、上記した実施の形態においては、当接部がストッパの近傍に設けられる構成としたが、この構成に限定されるものではない。当接部は、スライダ部材を装着口に向かって装着空間を狭めるように揺動させる位置にあれば、コネクタ本体またはカバーにおいて、どの位置に設けられていてもよい。
【００５５】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００５６】
以上説明したように、本発明は、カードのスムーズな挿入を阻害することなく、カードの飛び出しを確実に防止することができるという効果を有し、特に、薄型カードに対応したカード用コネクタに有用である。
【符号の説明】
【００５７】
１  カード用コネクタ
２  コネクタ本体（ハウジング）
３  カバー（ハウジング）
４  装着口
１３  側壁部
１６  ストッパ
２２  スライド部材
２３  排出バネ
２７  係止バネ
２８  係止突起
３６  当接部（揺動部）
４１、４２  ガイド壁部
４３  揺動スペース
５１  カード
５５  凹部
【図１】
2011165331.tif 000003
【図２】
2011165331.tif 000004
【図３】
2011165331.tif 000005
【図４】
2011165331.tif 000006
【図５】
2011165331.tif 000007